(57)【要約】【課題】テレビ電話で通信中の両者間でリアルタイムにテレビ電話および動画情報を含むメディアデータの転送をするに好適なテレビ電話システムを提供する。【解決手段】ネットワークに接続されて、メディア音声情報および／またはメディア動画情報を有する複数のメディアデータを保持するメディアサーバと、前記ネットワークにそれぞれ接続されて前記メディアサーバに保持された前記メディアデータを受信する複数のクライアントと具備し、前記各クライアントは、前記メディアサーバに保持された前記メディアデータを受信するメディアデータ受信部と、他の前記クライアントに前記メディアデータ受信部が受信した前記メディアデータを転送するメディアデータ転送処理部を備える。【選択図】図３
2008085573.tif 000002
【特許請求の範囲】
【請求項１】
ネットワークに接続されて、メディア音声情報および／またはメディア動画情報を有する複数のメディアデータを保持するメディアサーバと、
前記ネットワークにそれぞれ接続されて前記メディアサーバに保持された前記メディアデータを受信する複数のクライアントと
を具備し、
前記各クライアントは、前記メディアサーバに保持された前記メディアデータを受信するメディアデータ受信部と、
他の前記クライアントに前記メディアデータ受信部が受信した前記メディアデータを転送するメディアデータ転送処理部を備えることを特徴とするテレビ電話システム。
【請求項２】
前記各クライアントは、所定の画像伝送プロトコルに従ってカメラデバイスから入力された動画情報を変換して出力するカメラ動画出力処理部と、
所定の音声伝送プロトコルに従って音声デバイスから入力された音声情報を変換して出力する音声出力処理部と、
他の前記クライアントが備える前記カメラ動画出力処理部から出力された前記動画情報を受けてこの動画情報を出力する動画出力部と、
他の前記クライアントが備える前記音声出力処理部から出力された前記音声情報を受けてこの音声情報を出力する音声出力部と、
を具備し、
前記メディアデータ転送処理部は、受信した前記メディアデータに含まれる前記メディア音声情報を取り出すメディア音声取得部と、
受信した前記メディアデータに含まれる前記メディア動画情報を取り出すメディア動画取得部と、
前記メディア音声取得部から取り出された前記メディア音声情報を前記音声出力部に与えるとともに、そのメディア音声情報を分岐して出力する音声分岐処理部と、
前記メディア動画取得部から取り出された前記メディア動画情報を前記動画出力部に与えるとともに、そのメディア動画情報を分岐して出力する動画分岐処理部と、
所定の音声伝送プロトコルに従って前記音声分岐処理部から分岐されて出力された前記メディア音声情報を変換して出力するメディア音声コーデック部と、
所定の動画伝送プロトコルに従って前記動画分岐処理部から分岐されて出力された前記メディア動画情報を変換して出力するメディア動画コーデック部と
を具備し、
前記音声出力処理部は、他の前記クライアントに前記メディア音声コーデック部によって変換された音声情報と前記音声デバイスから入力された音声情報とを混合して送出する音声データ混合部を備えることを特徴とする請求項１に記載のテレビ電話システム。
【請求項３】
前記音声出力処理部は、他の前記クライアントに前記音声デバイスから入力された音声情報またはこの音声情報と前記メディア音声情報とを混合した混合音声情報の何れかを送出する出力情報切替部を備えることを特徴とする請求項１または２に記載のテレビ電話システム。
【請求項４】
前記メディアデータ転送処理部は、前記出力情報切替部から出力される情報を切り替えるメディア制御部を備えることを特徴とする請求項３に記載のテレビ電話システム。
【請求項５】
前記メディア制御部は、前記メディアサーバが保持する複数の前記メディアデータを選択し、このメディアデータの再生、一時停止、早送りおよび巻き戻しの指令をするものである請求項４に記載のテレビ電話システム。
【発明の詳細な説明】
【技術分野】
【０００１】
本発明はテレビ電話システムに係り、特にＶｏＩＰテレビ電話にて通話中、リアルタイムにストリーミングデータを転送するに好適なテレビ電話システムに関する。
【背景技術】
【０００２】
従来、ＩＰネットワークを用いた電話通信方式としてＶｏＩＰ（voice over IP）が知られている。このＶｏＩＰは、電話通信に係る音声情報を送信側で所定のディジタルデータに符号化してＩＰネットワークにパケットとして送出する一方、受信側ではＩＰネットワークを介して受信したパケットを復号し、音声情報にして出力する。
またこのような電話通信方式にあっては、ブロードバンド環境の広がりとともに、音声情報だけでなく動画情報もあわせて相互に送受して通信を行うテレビ電話システムも試みられてきている。
【０００３】
ちなみに、この種のテレビ電話システムにおいて通信中に相手側のテレビ電話端末（通話相手端末）に対して例えばメディアサーバに保持されたメディア情報（例えば、ビデオデータ）の情報を転送する場合は、例えばＦＴＰ等の通信プロトコルを用いてこのメディア情報をファイルデータとして通信相手方（受信者側）に転送した後、受信者側が受信したファイルデータを再生する。
【０００４】
この種のファイルデータの転送方法としては、パケット転送装置およびその方法が知られている（例えば、特許文献１を参照）。このパケット転送装置およびその方法は、ネットワークの状態に基づいてビデオデータのパケット課程におけるコーディングの方式を変更し、メディアデータの貯蔵効率と転送効率が最適になるように考慮されている。
【特許文献１】特開２００４−７４８０号公報
【発明の開示】
【発明が解決しようとする課題】
【０００５】
しかしながら、上述の特許文献１に記載の発明は、メディアデータの貯蔵効率と転送効率が最適になるように考慮されているものの、メディアデータの送信側と受信側との間で動画像データを同期して再生することや一時停止、早送り・巻き戻しなどができないという問題があった。
そこでメディアデータを配信する送信側のテレビ電話端末から、このメディアデータを受け取る受信側のテレビ電話端末へ配信する手段として動画像再生機器によって再生制御を行い、その出力データを通信相手方のテレビ電話端末に送る方式が考えられる。しかしこの方式は、動画像再生機器が必要であり、コストが高くなるという問題がある。
【０００６】
本発明は、このような事情を考慮してなされたものであり、その目的は、テレビ電話で通信中の両者間でリアルタイムにテレビ電話および動画情報を含むメディアデータの転送および同期再生をするに好適なテレビ電話システムを提供することにある。
【課題を解決するための手段】
【０００７】
上述した目的を達成すべく本発明のテレビ電話システムは、ネットワークに接続されて、メディア音声情報および／またはメディア動画情報を有する複数のメディアデータを保持するメディアサーバと、前記ネットワークにそれぞれ接続されて前記メディアサーバに保持された前記メディアデータを受信する複数のクライアントとを具備し、
前記各クライアントは、前記メディアサーバに保持された前記メディアデータを受信するメディアデータ受信部と、他の前記クライアントに前記メディアデータ受信部が受信した前記メディアデータを転送するメディアデータ転送処理部を備えることを特徴としている。
【０００８】
好ましくは前記各クライアントは、所定の画像伝送プロトコルに従ってカメラデバイスから入力された動画情報を変換して出力するカメラ動画出力処理部と、所定の音声伝送プロトコルに従って音声デバイスから入力された音声情報を変換して出力する音声出力処理部と、他の前記クライアントが備える前記カメラ動画出力処理部から出力された前記動画情報を受けてこの動画情報を出力する動画出力部と、他の前記クライアントが備える前記音声出力処理部から出力された前記音声情報を受けてこの音声情報を出力する音声出力部とを具備し、
前記メディアデータ転送処理部は、受信した前記メディアデータに含まれる前記メディア音声情報を取り出すメディア音声取得部と、受信した前記メディアデータに含まれる前記メディア動画情報を取り出すメディア動画取得部と、前記メディア音声取得部から取り出された前記メディア音声情報を前記音声出力部に与えるとともに、その分岐してメディア音声情報を分岐して出力する音声分岐処理部と、前記メディア動画取得部から取り出された前記メディア動画情報を前記動画出力部に与えるとともに、その分岐してメディア動画情報を分岐して出力する動画分岐処理部と、所定の音声伝送プロトコルに従って前記音声分岐処理部から分岐されて出力された前記メディア音声情報を変換して出力するメディア音声コーデック部と、所定の動画伝送プロトコルに従って前記動画分岐処理部から分岐されて出力された前記メディア動画情報を変換して出力するメディア動画コーデック部と
を具備し、
前記音声出力処理部は、他の前記クライアントに前記メディア音声コーデック部によって変換された音声情報と前記音声デバイスから入力された音声情報とを混合して送出する音声データ混合部を備えることが望ましい。
【０００９】
また前記音声出力処理部は、他の前記クライアントに前記音声デバイスから入力された音声情報またはこの音声情報と前記メディア音声情報とを混合した混合音声情報の何れかを送出する出力情報切替部を備えて構成される。
好ましくは、前記メディアデータ転送処理部は、前記出力情報切替部から出力される情報を切り替えるメディア制御部を備えることが望ましい。
【００１０】
より好ましくは前記メディア制御部は、前記メディアサーバが保持する複数の前記メディアデータを選択し、このメディアデータの再生、一時停止、早送りおよび巻き戻しの指令をするものとして構成される。
【発明の効果】
【００１１】
上述したように本発明のテレビ電話システムによれば、ネットワークとして例えばＩＰネットワークに接続された各クライアント（テレビ電話端末）がメディアサーバに保持されたメディアデータ（動画像データ等）を受信するメディアデータ受信部と、他のクライアントにメディアデータ受信部が受信したメディアデータを転送するメディアデータ転送処理部を備えているので、メディアデータを取得・再生しながら通信相手方にこのメディアデータをリアルタイムに転送することができるとともに、メディア制御部によってメディアサーバから取得したメディアデータの再生制御と同期制御を行うことが可能である。
【００１２】
更に本願発明のテレビ電話システムは、既存のテレビ電話システムとしてのＶｏＩＰテレビ電話端末に、メディアデータ転送処理部を付加した構成を取っているため、従来のＶｏＩＰテレビ電話システムに適用されている課金方式を適用することができる他、メディアサーバに保持されたメディアデータ（コンテンツ）に対する課金をそのアクセス時間として実施することができる等の実用上多大なる効果を奏する。
【発明を実施するための最良の形態】
【００１３】
以下、本発明に係るテレビ電話システムの一実施形態について添付図面を参照しながら説明する。尚、これらの添付図面は、本発明のテレビ電話システムを説明するための一例に過ぎず、これらの図によって本発明が限定されるものではない。
さて、図１は、本発明のテレビ電話システムにおける各種機器の接続形態を示す概略構成図である。この図において１は、テレビ電話端末（クライアント）となる例えばパソコン（以下、テレビ電話端末と称する）である。このテレビ電話端末１には、動画を撮影するカメラデバイス３および図示しないマイクを備え、詳細は後述するがテレビ電話端末１の機能を実現するアプリケーションソフトウェア（ＶｏＩＰテレビ電話通信ソフト）が実装される。このテレビ電話端末１は、インターネット、イントラネット等に代表されるＩＰネットワーク２に接続される。
【００１４】
ＩＰネットワーク２には、このＩＰネットワーク２に接続されて、二者のテレビ電話端末１間におけるＶｏＩＰテレビ電話通信の制御を行うＳＩＰプロキシサーバ４、メディア音声情報および／またはメディア動画情報を有する複数のメディアデータを保持するメディアサーバ５が接続されている。
尚、テレビ電話端末１、ＳＩＰプロキシサーバ４およびメディアサーバ５とＩＰネットワーク２には、図示しないルータが介挿されることがある。
【００１５】
概略的には、上述したように構成されたテレビ電話システムにおいて、テレビ電話端末１に搭載されるＶｏＩＰテレビ電話通信ソフトの構成に関して図２を参照しながら説明する。尚、この図は、二つのテレビ電話端末１ａ，１ｂ間でテレビ電話による通話を行いながらメディアサーバ５に保持されたメディアデータを一方のテレビ電話端末１ａから他方のテレビ電話端末１ｂへ転送するものを例示している。
【００１６】
テレビ電話端末１ａ，１ｂのＶｏＩＰテレビ電話通信ソフトは、概略的にはＩＰネットワーク上で、電話の呼設定を実現するためのテキストベースのアプリケーションプロトコルであるＳＩＰクライアント７、リアルタイムに音声や動画を送受信するためのプロトコルであるＲＴＳＰクライアント８、リアルタイムに音声動画を送受信するためのトランスポートプロトコルであるＲＴＰプロトコル９を備えて構成される。
【００１７】
そうしてテレビ電話端末１ａ，１ｂ間の呼設定は、ＳＩＰプロトコルによってなされ、動画情報および音声情報のやりとりは、ＲＴＰプロトコルによってなされる。また、テレビ電話端末１ａとメディアサーバ５に対する指令等のやりとりはＲＴＳＰプロトコルによってなされるとともに、メディアサーバ５からのメディアデータの配信（テレビ電話端末に対する送信）は、ＲＴＰ等のメディア配信プロトコルを用いてメディア動画情報およびメディア音声情報のやりとりがなされる。
【００１８】
ここでより詳細にテレビ電話端末１（１ａ，１ｂ）の構成について図３を参照しながら説明する。このＶｏＩＰテレビ電話通信ソフトは、例えばＩＴＵ−ＴのＨシリーズ勧告であるＨ.２６３等の画像伝送プロトコルに従ってＵＳＢカメラ等のカメラデバイス３から入力された動画情報を変換して出力するカメラ動画出力処理部１０、例えばＩＴＵ−ＴのＧシリーズ勧告であるＧ.７１１等の音声伝送プロトコルに従って図示しない音声デバイスから入力された音声を含む音響情報を変換して出力する音声出力処理部２０およびメディアサーバ５に保持されたメディアデータを他のテレビ電話端末１に転送するメディアデータ転送処理部３０を備えて構成される。
【００１９】
カメラ動画出力処理部１０は、カメラデバイス３が出力した動画情報を取り込むカメラ動画入力部１１と、このカメラ動画入力部１１が取り込んだ動画情報を例えばＨ.２６３等の画像伝送プロトコルに従って変換するビデオコーデック部１２およびビデオコーデック部１２によって変換された動画情報をネットワーク２に接続された他のテレビ電話端末１に送出するカメラ動画パケット送信部１３を備える。
【００２０】
音声出力処理部２０は、音声デバイス（図示せず）から入力された音声を含む音響情報を取り込む音声入力部２１と、この音声入力部２１が取り込んだ音響情報を例えばＧ.７１１等の音声伝送プロトコルに従って変換する音声コーデック部２２、この音声コーデック部２２の出力と、後述するメディアデータ転送処理部から与えられるメディア音声情報とを混合した出力にするか否かを選択する出力情報切替部２３と、この出力情報切替部２３が音声デバイスから入力された音響情報とメディア音声情報とを混合した音声情報を出力する音声データ混合部２４および出力情報切替部２３から出力されるテレビ電話のみの音声情報と、音声データ混合部２４によって混合された音声情報をＩＰネットワーク２によって他のテレビ電話端末１へ送出する音声パケット送信部２５を備える。
【００２１】
メディアデータ転送処理部３０は、メディアサーバ５が保持する複数のメディアデータを指定する情報（例えば、ＵＲＬ等）、メディアデータの再生、一時停止、早送り、巻き戻しの要求を出力するメディア制御部３１、このメディア制御部３１から与えられる要求を受けて例えばＲＴＰ，ＲＴＳＰ，ＴＣＰ等のプロトコルによってメディアサーバ５に保持されたメディアデータを取り込むメディアデータ受信部３２、このメディアデータ受信部３２が受信したメディアデータに含まれるメディア音声情報およびメディア動画情報をそれぞれ取り出すメディア音声取得部３３およびメディア動画取得部３４、他のテレビ電話端末が備える音声出力処理部２０およびカメラ動画出力処理部１０からそれぞれ出力された音声情報および動画情報を受けてこれらの音声情報および動画像情報をそれぞれ出力する音声出力部３５および動画出力部３６と、メディア音声取得部３３から取り出されたメディア音声情報を音声出力部３５に与えるとともに、そのメディア音声情報を分岐して出力する音声分岐処理部３７と、メディア動画取得部３４から取り出されたメディア動画情報を動画出力部３６に与えるとともに、そのメディア動画情報を分岐して出力する動画分岐処理部３８と、例えばＧ.７１１等の音声伝送プロトコルに従って音声分岐処理部３７から分岐されて出力されたメディア音声情報を変換して出力するメディア音声コーデック部３９と、例えばＨ.２６３等の動画伝送プロトコルに従って動画分岐処理部３８から分岐されて出力されたメディア動画情報を変換して出力するメディア動画コーデック部４０、通信相手のテレビ電話端末１から受信した音声データを受けて予め定められたプロトコル（例えば、Ｇ.７１１等）によって復号して音声出力部３５に与える音声パケット受信部４１、メディア動画コーデック部４０により符号化されたメディア動画情報を通信相手のテレビ電話端末１へ送出するメディア動画送信部４２を備えて構成される。
【００２２】
このメディアデータ転送処理部３０が備えるメディア制御部３１は、詳細は後述するが音声出力処理部２０が備える出力情報切替部２３の出力切替制御を行う役割を担っている。また、メディア音声コーデック部３９が出力したメディア音声情報は、音声データ混合部２４に与えられて混合されて、音声パケット送信部２５に与えられるようになっている。
【００２３】
概略的には、上述したように構成された本発明のテレビ電話システムが特徴とするところは、ネットワークに接続されたテレビ電話端末は、メディアデータ転送処理部３０がメディアサーバから受信したメディアデータを通信相手のテレビ電話端末に転送すると共に、それぞれのメディア制御部３１による制御によって、メディアデータの再生、一時停止、早送りおよび巻き戻しの指令ができる点にある。
【００２４】
このような特徴を有する本発明のテレビ電話システムの作動について図面を参照しながらより詳細に説明する。尚、ここでは便宜的に二者間の通信プロトコルをＲＴＰ（real-time transport protocol）にて説明するが、他の通信プロトコルを適用してもかまわない。
さてインターネット２にそれぞれ接続されたテレビ電話端末１ａ，１ｂの一方（ここでは、テレビ電話端末１ａ）は、相互間でテレビ通信を行うべくＶｏＩＰプロトコルによってセッションの確立をする（図４）。具体的にはテレビ電話端末１ａは、プロキシサーバ（ＳＩＰプロキシサーバ）４に対してＴＣＰ（発信供給）を送出する。するとプロキシサーバ４は、この要求から通話相手先のテレビ電話端末１ｂに対してＴＣＰ（着信要求）を出す。するとこの着信要求を受けたテレビ電話端末１ｂは、プロキシサーバ４に対してＴＣＰ（応答要求）を返す。一方、このＴＣＰ（応答要求）を受けたプロキシサーバ４は、ＴＣＰ（発信要求）を送出したテレビ電話端末１ａにＴＣＰ（応答要求）を返して、テレビ電話１ａ，１ｂ相互間のセッションが確立する（ステップＳ１）。以後、テレビ電話端末１ａ，１ｂ間でＲＴＰプロトコルに従って音声情報およびカメラデバイス３で撮影した動画情報を相互に送受する（ステップＳ２）。
【００２５】
このようにしてテレビ電話端末１ａ，１ｂ間の通信が確立した後、以下のようにして一方のテレビ電話端末１ａは、メディアサーバ５が保持するメディアデータを受信して、通信相手のテレビ電話端末１ｂに転送する。
まずテレビ電話端末１ａは、メディアサーバ５に対してメディア配信要求をＲＴＳＰプロトコルによって出力する（ステップＳ３）。するとメディアサーバ５は、この要求を受け付けると共に、要求元のテレビ電話端末１ａにＲＴＰ等のプロトコルによってメディアデータ（ストリーミングデータ）の配信を開始する（ステップＳ４）。この配信を受けたテレビ電話端末１ａは、メディアデータ受信部３２でメディアデータの受信を行い、このメディアデータに含まれるメディア音声情報およびメディア動画情報をそれぞれメディア音声取得部３３およびメディア動画取得部３４が取得する。そして得られたメディア音声情報は、音声分岐処理部３７によって音声出力部３５とメディア音声コーデック部３９に与えられる。すると音声出力部３５からは、メディア音声情報が出力されるとともに、メディア音声コーデック部３９に与えられたメディア音声情報は、例えばＧ.７１１に従ってコード化された後、音声データ混合部２４および音声パケット送信部２５を介してＲＴＰ等のプロトコルによって通信相手方のテレビ電話端末１ｂに転送される（ステップＳ５）。
【００２６】
一方、メディア動画取得部３４で取得されたメディア動画情報は、動画分岐処理部３８によって動画出力部３６とメディア動画コーデック部４０に与えられる。すると動画出力部３６からそのメディア動画情報が出力されるとともに、メディア動画コーデック部４０に与えられたメディア動画情報は、例えばＨ.２６３に従ってコード化された後、メディア動画送信部４２が行うＲＴＰ等のプロトコルによって通信相手方のテレビ電話端末１ｂに転送される（ステップＳ６）。
【００２７】
尚、テレビ電話端末１ａ，１ｂがそれぞれ備えるカメラデバイス３が撮影した動画情報は、カメラ動画出力処理部１０から送出されて、相互にやりとりされる。（ステップＳ７）。また、ステップＳ５で一方のテレビ電話端末１ａから他方のテレビ電話端末１ｂへ音声情報とメディア音声情報とが音声データ混合部２４で混合されて与えられるとともに、他方のテレビ電話端末１ｂから一方のテレビ電話端末１ａに対して、音声出力処理部２０から音声情報が与えられて相互にテレビ電話通信ができる。この場合、他方のテレビ電話端末１ｂの出力情報切替部２３は、テレビ電話のみとなるようメディア制御部３１からの指令によって切り替えられる。
【００２８】
このようにして本発明のテレビ電話システムは、テレビ電話による通信を行いつつ、メディアサーバ５に保持されたメディアデータを相互に参照することができる。
次にメディアデータを相互に参照しながらテレビ電話による通信の最中に、メディアデータの再生、一時停止、早送りおよび巻き戻しの指令を行う場合について図５を参照しながら説明する。
【００２９】
まず再生中のメディアデータを一時停止する場合、メディア制御部３１は、メディアデータ受信部３２に対して一時停止要求（ＳＲ）を発する。するとこの一時停止要求を受けたメディアデータ受信部３２は、メディアサーバ５から配信中のメディアデータを一時停止（ＳＡ）して、メディア制御部３１からの一時停止解除を待つ。
次に一時停止要求（ＳＲ）を解除して再生を再開させる場合、メディア制御部３１は、メディアデータ受信部３２に一時停止解除（ＲＲ）を与える。すると、メディアデータ受信部３２は、メディアサーバ５に対して一時停止したメディアデータの再送を促す一時停止解除（ＲＲ）を与えるとともに、メディアサーバ５から再送が開始されたメディアデータをメディア音声取得部３３およびメディア動画取得部３４に与える。
【００３０】
またメディア制御部３１は、再生中または一時停止中のメディアデータの再生位置を変更する場合、メディアデータ受信部３２に対して再生位置変更要求（ＰＲ）を発行する。するとメディアデータ受信部３２は、この再生位置変更要求（ＰＲ）をメディアサーバ５に与える。メディアサーバ５は、この再生位置変更要求（ＰＲ）を受けて、この再生位置変更要求（ＰＲ）によって指示された再生位置から再びメディアデータの送信を開始する（ＲＳ）。そうしてメディアデータ受信部３２は、メディアサーバ５から再生位置が変更されて再送されたメディアデータを受けて、このメディアデータを次段のメディア音声取得部３３およびメディア動画取得部３４に与える。
【００３１】
尚、上述した実施形態は、テレビ電話端末１ａ（メディア制御端末）側からの一時停止要求、一時停止解除要求および再生位置変更要求をメディアサーバ５が受け付ける場合を例示したが、他方のテレビ電話端末１ｂにもメディア制御部３１およびメディアデータ受信部３２を備えているので、他のテレビ電話端末１ｂからも同様にメディアサーバ５に対して一時停止要求、一時停止解除要求および再生位置変更要求を与えることができる。
【００３２】
かくして上述したように構成された本発明のテレビ電話システムによれば、ネットワークに接続されたテレビ電話端末１が、メディアサーバ５に保持されたメディアデータを受信するメディアデータ受信部３２と、通信中の他のテレビ電話端末１にメディアデータ受信部が受信したメディアデータを転送するメディアデータ転送処理部３０を備えているので、メディアサーバ５から配信される動画像データを再生中に二者間でのこの動画像データを同期させて再生することの他にメディアデータの再生、一時停止、早送りおよび巻き戻しをすることが可能である。
【００３３】
また本発明のテレビ電話システムにおける音声出力処理部２０は、他のテレビ電話端末１に音声デバイス（例えば、マイク等）から入力された音声情報またはこの音声情報とメディア音声情報とを混合した混合音声情報の何れかを送出する出力情報切替部２３を備えると共に、メディアサーバ５が保持する複数のメディアデータを選択し、このメディアデータの再生、一時停止、早送りおよび巻き戻しの指令をするメディア制御部３１を備えているので、単なるテレビ電話以外にも、メディアサーバ５に保持されたメディアデータを転送するだけでなく、二者間でメディアデータの同期再生をすることが可能である。
【００３４】
したがって、例えばテレビ電話システムを用いて二者間で通信販売等の商品説明、販売店サポート等の技術支援、映画案内配信サービス等の場面において本発明は極めて有用である。つまり、これらのサービスを提供する場合、通信相手方であるユーザに案内の動画（ビデオ）情報を見せるだけでなく、ユーザの疑問、質問の内容にあわせて商品紹介の動画情報を切り替えて、必要な場面や繰り返しての動画再生も行うことが可能である。
【００３５】
尚、本発明のテレビ電話システムは、上記した実施の形態に限定されるものではなく、本発明の要旨を逸脱しない範囲内において種々変更を加え得ることが可能である。
【図面の簡単な説明】
【００３６】
【図１】本発明の一実施形態に係るテレビ電話システムの概略構成を示す図。
【図２】図１に示すテレビ電話システムのソフトウェア構成を示す図。
【図３】図１に示すテレビ電話端末の構成を示すブロック図。
【図４】図１に示すテレビ電話システムにおける伝送制御手順を示す図。
【図５】図１に示すテレビ電話端末とメディアサーバとの間の通信制御手順を示す図。
【符号の説明】
【００３７】
１（１ａ，１ｂ）    テレビ電話端末
２  ＩＰネットワーク（インターネット）
３  カメラデバイス
４  プロキシサーバ
５  メディアサーバ
１０  カメラ動画出力処理部
２０  音声出力処理部
３０  メディアデータ転送処理部
【図１】
2008085573.tif 000003
【図２】
2008085573.tif 000004
【図３】
2008085573.tif 000005
【図４】
2008085573.tif 000006
【図５】
2008085573.tif 000007